(57)【要約】      （修正有）【課題】楽譜や資料を内設して持ち運びできると共に、自立してスタンドになるケースを提供する。【解決手段】ケース本体２とカバー３を連結軸７にて開閉自在に形成すると共に、ケース本体２に下部を固定し、上部をカバー３あるいはケース本体２の上端面に係止してなる、係止片５ａを形設したスタンド板５を設け、カバー３を反転してカバー３の先端面を係止片５ａに係止させ自立させる。【選択図】図１
2014054360.tif 000002
【特許請求の範囲】
【請求項１】
ケース本体とカバーを連結軸にて開閉自在に形成すると共に、ケース本体に下部を固定し、上部をカバーあるいはケース本体の上端面に係止してなる係止片を形設したスタンド板を設け、カバーを反転してカバーの先端面を係止片に係止させ自立させることを特徴とするスタンドになるケース。
【請求項２】
ケース本体の基板の底部に案内を形成した底立面及び両側部に側立面を立設すると共に、底立面とカバーの先端面に固着部を設けてなることを特徴とする請求項１記載のスタンドになるケース。
【請求項３】
ケース本体の背面及びスタンド板の内側に保持部を設けてなることを特徴とする請求項１又は２記載のスタンドになるケース。
【請求項４】
カバー開口時において、係止片を押圧し、スタンド板を下方に移動させるべく押圧部を設けてなることを特徴とする請求項１、２又は３記載のスタンドになるケース。
【発明の詳細な説明】
【技術分野】
【０００１】
本発明は、主にポケットファイルを収納するスタンドになるケースであり、ポケットファイルに楽譜、写真資料を入れて楽譜スタンド、写真スタンド、資料スタンドになるケースに関するものである。
【背景技術】
【０００２】
従来の技術としては、折曲展開可能部をもつ板で構成され、鉄板と磁石を用いた本の背もたれ板の傾斜を変えられる様にした書見台とこの書見台用の頁押え構造と折畳み構造がある。（特許文献１参照）
【０００３】
また、別の従来技術として、譜面が立て掛けられる譜面載置枠と、前記譜面載置を支持する吸盤装置とを備え、前記吸盤装置は、厚さ方向の一方の面が吸着面とされ他方の面が背面とされた吸盤と、前記吸盤の背面の中央から前記暑さ方向の沿って前記背面から離れる方向に突設された中心軸と、前記吸盤の背面を覆うスカート部と、前期スカート部の中央から突出し前記中心軸が収容される外側筒部とを有する取り付け台と、前記中心軸と前記取り付け台とにわたって設けられ前記吸着面が被吸着面に吸着した状態で、前記スカート部の先端を前記吸盤の背面に押圧させる方向に、あるいは、前記スカート部の先端を前記吸盤の外側に位置する前記被吸着面の箇所に押圧させる方向に付勢するとともに前記中心軸を前記被吸着面から離れる方向に変位させる変位機構とを備え、前記譜面載置枠と前記外側筒部とが連結されている、ことを特徴とする譜面台がある。（特許文献２参照）
【先行技術文献】
【特許文献】
【０００４】
【特許文献１】実開平６−３８６７７号公報
【特許文献２】特開２００８−１５２２４２号公報
【発明の概要】
【発明が解決しようとする課題】
【０００５】
上記前者においては、折畳式の形態であるが、写真、楽譜、資料（ポケットファイル）を内設して持ち運びできるものではない。
【０００６】
また、上記後者においても、ピアノやキーボードなどの楽器の表面やテーブルの表面などに吸盤にて取り付ける形態のもので、これもまた、本発明のような本や楽譜を内設して持ち運びできるものではない。
【０００７】
本発明は、このような従来の構成が有していた問題を解決しようとするもので、ケース本体とカバーにより、写真、楽譜、資料（ポケットファイル）を内設して持ち運びできると共に、スタンド板とカバーで自立でき、押圧部によりスタンド板を楽に下方に移動させることができるスタンドになるケースを提供することを目的とする。
【課題を解決するための手段】
【０００８】
本発明は上記目的を達成するために、ケース本体とカバーを連結軸にて開閉自在に形成すると共に、ケース本体に下部を固定し、上部をカバーあるいはケース本体の上端面に係止してなる係止片を形設したスタンド板を設け、カバーを反転してカバーの先端面を係止片に係止させ自立させること。ケース本体の基板の底部に案内を形成した底立面及び両側部に側立面を立設すると共に、底立面とカバーの先端面に固着部を設けてなること。ケース本体の背面及びスタンド板の内側に保持部を設けてなること。カバー開口時において、係止片を押圧し、スタンド板を下方に移動させるべく押圧部を設けてなることを特徴とする。
【発明の効果】
【０００９】
１）、ケース本体とカバーを連結軸にて開閉自在に形成し、ケース本体の底立面及び側立面により、写真、楽譜、資料（ポケットファイル）を内設して持ち運びすることができる。
２)、 係止片を形設したスタンド板に、カバーを反転させ、その先端面を係止片に係止させることにより、スタンドになるケースを自立させることができる。
３)、 案内片により、ポケットファイルの頁めくりがスムーズに行うことができる。
４)、保持部により、持ち運び時において容易に外れないようになっている。
５）、押圧部により、自動的にスタンド板を下方に移動(落下) させることができる。
【図面の簡単な説明】
【００１０】
【図１】第１実施例を示すスタンドになるケースの平面図。
【図２】第１実施例を示すスタンドになるケースの側面図。
【図３】第１実施例を示すスタンドになるケースの開口状態正面図。
【図４】第１実施例を示すスタンドになるケースの開口手順側面図。
【図５】第１実施例を示すスタンドになるケースの立設側面図。
【図６】第１実施例を示すスタンドになるケースの使用状態正面図。
【図７】第２実施例を示すスタンドになるケースの背面図。
【図８】第２実施例を示すスタンドになるケースの開口手順側面図。
【図９】第２実施例を示すスタンドになるケースの立設側面図。
【発明を実施するための形態】
【００１１】
１は、スタンドになるケースである。
２は、ケース本体で、基板２ａの底部に内側に斜状の案内片２ｂ１を形成した底立面２ｂを立設すると共に、両側部に側立面２ｃを立設し、底立面２ｂに例えば凹凸状の固着部２dを設けてある。
また、基板２ａの上部両側に円筒状の連結部２ｅを設けてある。
３は、カバーで、逆台形状のカバー板３ａの先端面内側に、上記固着部２ｄに対応する同様な凹凸状の固着部３ｂを設けると共に、後端中央(連結部２ｅ・２ｅ間)に円筒状の連結部３ｃを設けてある。
４は、上記カバー板３ａの上端中央に、後述するスタンド板を下方に移動(落下)させる平板の先端を折曲してなる押圧片４ａを設けた押圧部である。
５は、スタンド板で、上記ケース本体２の背面に下部をを固定し、上端をカバー３(カバー板３ａ)の上端面に係止してなる係止片５ａを形設した長方形状のものである。
なお、ケース本体２(基板２ａ)の背面及びスタンド板５の内側に凹凸状の保持部６を設けてある。
また、必要に応じてカバー３のカバー板３ａの裏側上部にエンピツ等の筆記用具Ｈを設けるのも一考である。
さらに、連結部２ｅと連結部３ｃとを連結軸７にて連結し、ケース本体２とカバー３を開閉自在に形成してある。(図１〜図３参照)
【００１２】
上記スタンドになるケースの使用手順について説明する。(予め、ポケットファイルＰＦ  を入れた状態)
まず、カバー３のカバー板３ａを手前に引くことにより固着部３ｂと固着部２ｄが外れ、カバー板３ａが連結軸７を中心に後方に回転(反転)する。
同時に、押圧片４ａを設けた押圧部４が後方に移動し、押圧片４ａによりスタンド板５の係止片５ａを押圧し、後方に自動的に落下する。この時、保持部６が外れる。(図４参照)
つぎに、カバー板３ａの先端を係止片５ａに係止し、スタンドになるケース１を自立させることができる。
この状態で、内設したポケットファイルＰＦを取り出し、底立面２部上に立設し、ページＰを例えば左から右へ移動させる時、案内２ｂ１に沿って、ページＰめくりができる。
なお、右から左へページＰ１を同様に案内片２ｂ１に沿ってめくることができる。(図６参照) 
【００１３】
つぎに、第２実施例のスタンドになるケースについて説明する。
スタンドになるケース２１は、ケース本体２２の背面に下部を固定し、上端をケース本体２２の上端面に係止してなる係止片２５ａ及びつまみ部２５ｂを設けた長方形状のスタンド板２５を設けてなる。
また、前記と同様な保持部２６を設けてある。（図７参照）
【００１４】
スタンドになるケース２１の使用手順について説明する。
まず、つまみ部２５ｂをつまみ、後方に引くことにより係止片２５ａがケース本体２２の上端面より外れ、後方へ落下させる。
この時、保持部２６も外れる。(図８参照)
【００１５】
最終的には、スタンド板２５の係止片２５ａにカバー３のカバー板３ａの先端を係止することによりスタンドになるケース２１を立設することができる。(図９参照) 
【００１６】
スタンドになるケースの大きさや材質は必要に応じて決めればよい。
【符号の説明】
【００１７】
１――――スタンドになるケース
２――――ケース本体
３――――カバー
４――――押圧部
５――――スタンド板
６――――保持部
７――――連結部
ＰＦ―――ポケットファイル
【図１】
2014054360.tif 000003
【図２】
2014054360.tif 000004
【図３】
2014054360.tif 000005
【図４】
2014054360.tif 000006
【図５】
2014054360.tif 000007
【図６】
2014054360.tif 000008
【図７】
2014054360.tif 000009
【図８】
2014054360.tif 000010
【図９】
2014054360.tif 000011
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
ケース本体とカバーを連結軸にて開閉自在に形成すると共に、ケース本体に下部を固定部にて固定し、上部をカバーあるいはケース本体の上端面に係止してなる係止片を形設したスタンド板を設け、カバーを連結軸を中心にして反転し、スタンド板を固定部を支点に下方に落下させ、カバーの先端面を係止片に係止させケース本体を斜状に自立させることを特徴とするスタンドになるケース。
【請求項２】
ケース本体の基板の底部に案内片を形成した底立面及び両側部に側立面を立設すると共に、底立面とカバーの先端面に固着部を設けてなることを特徴とする請求項１記載のスタンドになるケース。
【請求項３】
ケース本体の背面及びスタンド板の内側に保持部を設けてなることを特徴とする請求項１又は２記載のスタンドになるケース。
【請求項４】
カバー開口時において、スタンド板の係止片を押圧し、スタンド板を固定部を支点に下方に移動させるべく押圧部を設けてなることを特徴とする請求項１、２又は３記載のスタンドになるケース。
【手続補正２】
【補正対象書類名】明細書
【補正対象項目名】０００８
【補正方法】変更
【補正の内容】
【０００８】
本発明は、上記目的を達成するために、ケース本体とカバーを連結軸にて開閉自在に形成すると共に、ケース本体に下部を固定部にて固定し、上部をカバーあるいはケース本体の上端面に係止してなる係止片を形設したスタンド板を設け、カバーを連結軸を中心にして反転し、スタンド板を固定部を支点に下方に落下させ、カバーの先端面を係止片に係止させケース本体を斜状に自立させること。ケース本体の基板の底部に案内片を形成した底立面及び両側部に側立面を立設すると共に、底立面とカバーの先端面に固着部を設けてなること。ケース本体の背面及びスタンド板の内側に保持部を設けてなること。カバー開口時において、スタンド板の係止片を押圧し、スタンド板を固定部を支点に下方に移動させるべく押圧部を設けてなることを特徴とする。
【手続補正３】
【補正対象書類名】明細書
【補正対象項目名】００１１
【補正方法】変更
【補正の内容】
【００１１】
１は、スタンドになるケースである。
２は、ケース本体で、基板２ａの底部に内側に斜状の案内片２ｂ１を形成した底立面２ｂを立設すると共に、両側部に側立面２ｃを立設し、底立面２ｂに例えば凹凸状の固着部２dを設けてある。
また、基板２ａの上部両側に円筒状の連結部２ｅを設けてある。
３は、カバーで、逆台形状のカバー板３ａの先端面内側に、上記固着部２ｄに対応する同様な凹凸状の固着部３ｂを設けると共に、後端中央(連結部２ｅ・２ｅ間)に円筒状の連結部３ｃを設けてある。
４は、上記カバー板３ａの上端中央に、後述するスタンド板を下方に移動(落下)させる平板の先端を折曲してなる押圧片４ａを設けた押圧部である。
５は、スタンド板で、上記ケース本体２の背面に下部を固定部５bにて固定し、上端をカバー３(カバー板３ａ)の上端面に係止してなる係止片５ａを形設した長方形状のものである。
なお、ケース本体２(基板２ａ)の背面及びスタンド板５の内側に凹凸状の保持部６を設けてある。
また、必要に応じてカバー３のカバー板３ａの裏側上部にエンピツ等の筆記用具Ｈを設けるのも一考である。
さらに、連結部２ｅと連結部３ｃとを連結軸７にて連結し、ケース本体２とカバー３を開閉自在に形成してある。(図１〜図３参照)
【手続補正４】
【補正対象書類名】明細書
【補正対象項目名】００１２
【補正方法】変更
【補正の内容】
【００１２】
上記スタンドになるケースの使用手順について説明する。(予め、ポケットファイルＰＦを入れた状態)
まず、カバー３のカバー板３ａを手前に引くことにより固着部３ｂと固着部２ｄが外れ、カバー板３ａが連結軸７を中心に後方に回転(反転)する。
同時に、押圧片４ａを設けた押圧部４が後方に移動し、押圧片４ａによりスタンド板５の係止片５ａを押圧し、後方に固定部５bを支点に自動的に落下する。この時、保持部６が外れる。(図４参照)
つぎに、カバー板３ａの先端を係止片５ａに係止し、スタンドになるケース１を斜状に自立させることができる。
この状態で、内設したポケットファイルＰＦを取り出し、底立面２部上に立設し、ページＰを例えば左から右へ移動させる時、案内片２ｂ１に沿って、ページＰめくりができる。
なお、右から左へページＰ１を同様に案内片２ｂ１に沿ってめくることができる。(図６参照) 
【手続補正５】
【補正対象書類名】明細書
【補正対象項目名】００１３
【補正方法】変更
【補正の内容】
【００１３】
つぎに、第２実施例のスタンドになるケースについて説明する。
スタンドになるケース２１は、ケース本体２２の背面に下部を固定部２５ｃにて固定し、上端をケース本体２２の上端面に係止してなる係止片２５ａ及びつまみ部２５ｂを設けた長方形状のスタンド板２５を設けてなる。
また、前記と同様な保持部２６を設けてある。（図７参照）
【手続補正６】
【補正対象書類名】明細書
【補正対象項目名】００１４
【補正方法】変更
【補正の内容】
【００１４】
スタンドになるケース２１の使用手順について説明する。
まず、つまみ部２５ｂをつまみ、後方に引くことにより係止片２５ａがケース本体２２の上端面より外れ、固定部２５ｃを支点にて後方へ落下させる。
この時、保持部２６も外れる。(図８参照)
【手続補正８】
【補正対象書類名】図面
【補正対象項目名】図４
【補正方法】変更
【補正の内容】
【図４】
2014054360.tif 000012
【手続補正９】
【補正対象書類名】図面
【補正対象項目名】図５
【補正方法】変更
【補正の内容】
【図５】
2014054360.tif 000013
【手続補正１０】
【補正対象書類名】図面
【補正対象項目名】図７
【補正方法】変更
【補正の内容】
【図７】
2014054360.tif 000014
【手続補正１１】
【補正対象書類名】図面
【補正対象項目名】図８
【補正方法】変更
【補正の内容】
【図８】
2014054360.tif 000015
【手続補正１２】
【補正対象書類名】図面
【補正対象項目名】図９
【補正方法】変更
【補正の内容】
【図９】
2014054360.tif 000016